(57)【要約】      （修正有）【課題】回路基板の製造コストを大幅に低減し、かつ、製造作業を簡略化することの可能な基板構造を提供する。【解決手段】液晶パネルが備えるバックライトに交流電圧を供給するインバータ回路と、放送信号を受信するとともに同放送信号から中間周波信号を抽出するチューナ回路と、上記中間周波信号に対する復調処理によって映像信号および音声信号を生成するとともに同映像信号に基づいて液晶パネルの駆動信号を生成し液晶パネルに出力する映像処理・パネル駆動回路と、映像処理・パネル駆動回路から音声信号を入力するとともに同音声信号を増幅して出力する音声信号処理回路と、上記各回路に電源電圧を供給する電源回路とを一枚の単層基板に搭載するとともに、これらを同単層基板の片面に形成した所定の配線パターンによって互いに接続した。【選択図】図２
0003116234.tif 000002
【実用新案登録請求の範囲】
【請求項１】
液晶パネルが備えるバックライトに交流電圧を供給するインバータ回路と、放送信号を受信するとともに同放送信号から中間周波信号を抽出するチューナ回路と、上記中間周波信号に対する復調処理によって映像信号および音声信号を生成するとともに同映像信号に基づいて液晶パネルの駆動信号を生成し液晶パネルに出力する映像処理・パネル駆動回路と、映像処理・パネル駆動回路から音声信号を入力するとともに同音声信号を増幅して出力する音声信号処理回路と、上記各回路に電源電圧を供給する電源回路と、を実装した基板を備える液晶テレビジョンにおいて、
上記電源回路と、インバータ回路と、チューナ回路と、映像処理・パネル駆動回路と、音声信号処理回路とは、紙フェノールで形成された略矩形の一枚の単層基板に搭載されるとともに同単層基板の片面に形成した所定の配線パターンによって互いに接続され、
上記映像処理・パネル駆動回路は略矩形のＩＣであるとともに、当該ＩＣは、
単層基板の中心よりも単層基板の４辺のうち単層基板と液晶パネルとを接続するインターフェースに対応する複数のコネクタ部が形成されている辺に接近した所定位置にて、同ＩＣの４辺のうち上記コネクタ部とパターンを介して接続する複数のリードをそれぞれ外部に突出させた一つの角を挟んだ２辺を、上記コネクタが形成されている辺と垂直な方向を挟んで略対称の傾きを持って当該辺に向かわせた状態で実装され、かつ、同ＩＣの周辺において外部に突出するリードのうち電源電圧の供給に用いる複数のリードおよびグランド端子に対応する複数のリードについては、それぞれの種類同士にて突出位置を隣り合わせた状態で寄せ集められ、
上記コネクタ部が形成されている単層基板の辺に対して向かった状態である上記ＩＣの１辺から略平行に突出する複数のリードと上記複数のコネクタ部とをぞれぞれ一対一で接続する複数のパターンは互いに略平行であり、
上記単層基板の電源回路に対応する領域とインバータ回路に対応する領域との両方について、パターンを形成しない所定幅のパターン無し領域によって周囲を囲むとともに、同パターン無し領域によって隔てられた回路間については同パターン無し領域の上を飛び越えるジャンパ素子およびインダクタを含む所定の接続素子によって接続することを特徴とする液晶テレビジョン。
【請求項２】
液晶パネルが備えるバックライトに交流電圧を供給するインバータ回路と、放送信号を受信するとともに同放送信号から中間周波信号を抽出するチューナ回路と、上記中間周波信号に対する復調処理によって映像信号および音声信号を生成するとともに同映像信号に基づいて液晶パネルの駆動信号を生成し液晶パネルに出力する映像処理・パネル駆動回路と、映像処理・パネル駆動回路から音声信号を入力するとともに同音声信号を増幅して出力する音声信号処理回路と、上記各回路に電源電圧を供給する電源回路と、を基板に実装した液晶テレビジョン用基板構造において、
上記電源回路と、インバータ回路と、チューナ回路と、映像処理・パネル駆動回路と、音声信号処理回路とを一枚の単層基板に搭載するとともに、これらを同単層基板の片面に形成した所定の配線パターンによって互いに接続したことを特徴とする液晶テレビジョン用基板構造。
【請求項３】
上記映像処理・パネル駆動回路は、略矩形のＩＣであるとともに、略矩形の上記単層基板の中心よりも単層基板の４辺のうち単層基板と液晶パネルとを接続するインターフェースのコネクタ部が形成されている辺に接近した所定位置にて、同ＩＣの４辺のうち上記コネクタ部とパターンを介して接続するリードをそれぞれ外部に突出させた一つの角を挟んだ２辺を上記コネクタが形成されている辺に対して向かわせた状態で実装されることを特徴とする請求項２に記載の液晶テレビジョン用基板構造。
【請求項４】
上記コネクタ部は上記インターフェースに対応して複数形成されているとともに、同コネクタ部が形成されている単層基板の辺に対して向かった状態である上記ＩＣの１辺から略平行に突出する複数のリードと上記複数のコネクタ部とをぞれぞれ一対一で接続する複数のパターンは互いに略平行であることを特徴とする請求項３に記載の液晶テレビジョン用基盤構造。
【請求項５】
上記ＩＣの周辺において外部に突出するリードのうち、電源電圧の供給に用いる複数のリードについて、その突出位置を隣り合った状態で寄せ集めたことを特徴とする請求項３または請求項４のいずれかに記載の液晶テレビジョン用基板構造。
【請求項６】
上記ＩＣの周辺において外部に突出するリードのうち、グランド端子に対応する複数のリードについて、その突出位置を隣り合った状態で寄せ集めたことを特徴とする請求項３〜請求項５のいずれかに記載の液晶テレビジョン用基板構造。
【請求項７】
上記単層基板の電源回路に対応する領域とインバータ回路に対応する領域との両方または一方について、パターンを形成しない所定幅のパターン無し領域によって周囲を囲むとともに、同パターン無し領域によって隔てられた回路間については同パターン無し領域の上を飛び越える所定の接続素子によって接続することを特徴とする請求項２〜請求項６のいずれかに記載の液晶テレビジョン用基板構造。
【考案の詳細な説明】
【技術分野】
【０００１】
本考案は、液晶テレビジョンおよび液晶テレビジョン用基板構造に関する。
【背景技術】
【０００２】
図５は、従来において多く用いられてきた、液晶テレビジョンが筺体内に備える基板の構造を簡略的に示している。
この基板構造においては、物理的に離れた複数の基板を用意し、それぞれに所定の電子回路等を実装していた。具体的には、映像信号処理および液晶パネルの駆動処理を実行する汎用デバイス（ＩＣ）３を積層ガラス基板１に実装し、電源ブロック４やインバータブロック５やチューナブロック６や音声信号処理ブロック７など、上記汎用デバイス３以外の液晶テレビジョンとしての機能を実現するために必要な各種回路や複数のジャック２ａを、積層ガラス基板１とは別の基板２に実装していた。図示は省略してあるが、両基板の各層には所定の配線パターンが形成されている。また、同図の８は積層ガラス基板１と基板２とを電気的に接続するハーネスであり、９は汎用デバイス３からの出力信号を液晶パネル２０に送出するためのインターフェースである。
【０００３】
上記のように積層ガラス基板１と基板２とを用いるのは、汎用デバイス３の特性による。つまり、液晶テレビジョンに搭載される上記汎用デバイス３は、基本的に４層や６層など多層基板に実装することを前提に設計されている。そのため、上記のように積層ガラス基板１に対して汎用デバイス３を実装していた。一方、電源ブロック４やインバータブロック５やチューナブロック６等については、汎用デバイス３と共通基板とした場合の配線パターンの引き回しの複雑さやノイズ対策などの観点から別基板としての基板２に実装していた。
【０００４】
また、従来技術として、テレビ受信回路と液晶パネルと液晶パネル駆動回路とを同一基板に実装した小型テレビ装置が知られている（特許文献１参照。）。
さらに、他の従来技術として、特許文献２〜４が開示されている。
【特許文献１】実開昭５８‐１７２９７７号公報
【特許文献２】特許第３３０１５４３号公報
【特許文献３】特開２００２‐２５８７６６号公報
【特許文献４】特開２００３‐１４９６６９号公報
【考案の開示】
【考案が解決しようとする課題】
【０００５】
上述した従来の基板構造では、複数の基板を用いるために液晶テレビジョンの製造にかかるコストを押上げていた。特に、積層ガラス基板１のような高価な多層基板を採用する点や複数の基板同士を接続するハーネス類が必要な点においてコスト高となっていた。また、多層基板を採用し、かつ基板数が複数であるために、回路基板の組み立ておよび実装作業も煩雑化していた。
【０００６】
さらに、電源供給を含めて放送信号の受信から映像・音声の出力までを実現するために必要な各回路を所定の基板に実装するという観点に立つと、上記各文献は、コスト減や実装作業の効率化において大きな余地を残していた。
【０００７】
本考案は、上記課題に鑑みてなされたもので、液晶テレビジョンの駆動に必要な各電子回路を基板に実装する際に、従来と比較して製造コストを大幅に低減させ、かつ製造作業を簡易化することの可能な液晶テレビジョンおよび液晶テレビジョン用基板構造を提供することを目的とする。
【課題を解決するための手段】
【０００８】
上記目的を達成するため、請求項２の考案は、液晶パネルが備えるバックライトに交流電圧を供給するインバータ回路と、放送信号を受信するとともに同放送信号から中間周波信号を抽出するチューナ回路と、上記中間周波信号に対する復調処理によって映像信号および音声信号を生成するとともに同映像信号に基づいて液晶パネルの駆動信号を生成し液晶パネルに出力する映像処理・パネル駆動回路と、映像処理・パネル駆動回路から音声信号を入力するとともに同音声信号を増幅して出力する音声信号処理回路と、上記各回路に電源電圧を供給する電源回路と、を基板に実装した液晶テレビジョン用基板構造において、上記電源回路と、インバータ回路と、チューナ回路と、映像処理・パネル駆動回路と、音声信号処理回路とを一枚の単層基板に搭載するとともに、これらを同単層基板の片面に形成した所定の配線パターンによって互いに接続した構成としてある。
【０００９】
上記のように構成した請求項２においては、放送信号の受信から映像・音声の液晶パネルやスピーカへの出力までに必要な全ての電子回路である電源回路と、インバータ回路と、チューナ回路と、映像処理・パネル駆動回路と、音声信号処理回路とが、一枚の単層基板に搭載され、これらが同単層基板の片面に形成した所定の配線パターンによって互いに電気的に接続している。
つまり、従来のように複数の基板や多層基板を用いることなく、一枚の単層基板にて液晶テレビジョンの機能を実現できるようになった。
【００１０】
請求項３の考案は、請求項２に記載の液晶テレビジョン用基板構造において、上記映像処理・パネル駆動回路は、略矩形のＩＣであるとともに、略矩形の上記単層基板の中心よりも単層基板の４辺のうち単層基板と液晶パネルとを接続するインターフェースのコネクタ部が形成されている辺に接近した所定位置にて、同ＩＣの４辺のうち上記コネクタ部とパターンを介して接続するリードをそれぞれ外部に突出させた一つの角を挟んだ２辺を上記コネクタが形成されている辺に対して向かわせた状態で実装される構成としてある。
【００１１】
上記のように構成した請求項３においては、映像処理・パネル駆動回路（ＩＣ）を、上記単層基板の中心よりも上記インターフェースのコネクタ部が形成されている１辺の側に接近した所定位置に実装する。さらには、単層基板上における上記ＩＣの実装の方向として、同ＩＣの４辺のうち上記コネクタ部とパターンを介して接続するリードをそれぞれ外部に突出させた一つの角を挟んだ２辺が、それぞれ上記コネクタが形成されている辺に対して向かうような方向としている。つまり、略矩形のＩＣの４辺のうち共通の角を挟んだ２辺からそれぞれ突出するリードを上記コネクタに接続させる場合、上記のような位置および実装方向とすることで、上記ＩＣと上記コネクタ部との間のパターン設計が短縮化および単純化される。
【００１２】
請求項４の考案は、請求項３に記載の液晶テレビジョン用基盤構造において、上記コネクタ部はインターフェースに対応して複数形成されているとともに、同コネクタ部が形成されている単層基板の辺に対して向かった状態である上記ＩＣの１辺から略平行に突出する複数のリードと上記複数のコネクタ部とをぞれぞれ一対一で接続する複数のパターンは互いに略平行である構成としてある。つまり、複数のコネクタ部が形成されている単層基板の１辺に向かった状態の上記ＩＣの１辺から突出する複数のリードと上記複数のコネクタ部とをそれぞれ接続するパターンを互いに略平行とすることで、無駄なスペースや配線同士の交差を生じさせることなく、単層基板上のスペースを有効に活用して上記ＩＣとコネクタ部とを接続することができる。
【００１３】
また、上記ＩＣの周辺において外部に突出するリードのうち、電源電圧の供給に用いる複数のリードについては、その突出位置を隣り合った状態で寄せ集めた構成とすることができる。電源電圧の供給に用いる複数のリードについては、互いにとびとびの位置とするのではなく隣り合わせて寄せ集め状態とすることで、かかるリードと接続するパターンも一まとめとすることができ、その結果、上記ＩＣと他の電子回路との配線パターンがより単純化される。
【００１４】
同様に、上記ＩＣの周辺において外部に突出するリードのうち、グランド端子に対応する複数のリードについて、その突出位置を隣り合った状態で寄せ集めた構成とすることができる。グランド端子に対応する複数のリードについても隣り合わせて寄せ集め状態とすることで、かかるリードと接続するグランド用パターンを一まとめにでき、その結果、上記ＩＣ周辺におけるグランド用パターンの設計を単純化することができる。
【００１５】
請求項７の考案は、請求項２〜請求項６のいずれかに記載の液晶テレビジョン用基板構造において、上記単層基板の電源回路に対応する領域とインバータ回路に対応する領域との両方または一方について、パターンを形成しない所定幅のパターン無し領域によって周囲を囲むとともに、同パターン無し領域によって隔てられた回路間については同パターン無し領域の上を飛び越える所定の接続素子によって接続する構成としてある。
【００１６】
本考案では、一枚の単層基板に電源回路およびインバータ回路をも実装した点に一つの特徴がある。これらの回路は一般に高圧を発生させるため、ノイズ対策の面で他の電子回路との配線態様や位置関係などを工夫する必要がある。そこで、上記のように電源回路に対応する領域とインバータ回路に対応する領域との両方または一方について、パターン無し領域によって周囲を囲むことによって、電源回路やインバータ回路からの輻射ノイズがカットされ、同一基板に実装される上記ＩＣを始めとする他の電子回路がノイズの影響を受けることが防止される。
【００１７】
以上の各構成を踏まえた上で、請求項１は、液晶パネルが備えるバックライトに交流電圧を供給するインバータ回路と、放送信号を受信するとともに同放送信号から中間周波信号を抽出するチューナ回路と、上記中間周波信号に対する復調処理によって映像信号および音声信号を生成するとともに同映像信号に基づいて液晶パネルの駆動信号を生成し液晶パネルに出力する映像処理・パネル駆動回路と、映像処理・パネル駆動回路から音声信号を入力するとともに同音声信号を増幅して出力する音声信号処理回路と、上記各回路に電源電圧を供給する電源回路と、を実装した基板を備える液晶テレビジョンにおいて、上記電源回路と、インバータ回路と、チューナ回路と、映像処理・パネル駆動回路と、音声信号処理回路とは、紙フェノールで形成された略矩形の一枚の単層基板に搭載されるとともに同単層基板の片面に形成した所定の配線パターンによって互いに接続され、上記映像処理・パネル駆動回路は略矩形のＩＣであるとともに、当該ＩＣは、単層基板の中心よりも単層基板の４辺のうち単層基板と液晶パネルとを接続するインターフェースに対応する複数のコネクタ部が形成されている辺に接近した所定位置にて、同ＩＣの４辺のうち上記コネクタ部とパターンを介して接続する複数のリードをそれぞれ外部に突出させた一つの角を挟んだ２辺を、上記コネクタが形成されている辺と垂直な方向を挟んで略対称の傾きを持って当該辺に向かわせた状態で実装され、かつ、同ＩＣの周辺において外部に突出するリードのうち電源電圧の供給に用いる複数のリードおよびグランド端子に対応する複数のリードについては、それぞれの種類同士にて突出位置を隣り合わせた状態で寄せ集められ、上記コネクタ部が形成されている単層基板の辺に対して向かった状態である上記ＩＣの１辺から略平行に突出する複数のリードと上記複数のコネクタ部とをぞれぞれ一対一で接続する複数のパターンは互いに略平行であり、上記単層基板の電源回路に対応する領域とインバータ回路に対応する領域との両方について、パターンを形成しない所定幅のパターン無し領域によって周囲を囲むとともに、同パターン無し領域によって隔てられた回路間については同パターン無し領域の上を飛び越えるジャンパ素子およびインダクタを含む所定の接続素子によって接続する構成としてある。
【００１８】
このように、液晶テレビジョンという具体的製品とした請求項１においても、請求項２〜請求項７にて奏するものと同様の作用、効果を奏することは言うまでも無い。
【考案の効果】
【００１９】
以上説明したように本考案によれば、電源供給を含めて放送信号の受信から映像・音声の出力までを実現するために必要な全ての電子回路を片面にパターンを形成した一枚の単層基板に実装するとしたため、多層基板を含む複数の基板を採用していた従来と比較して、回路基板の実装および組み立て作業が大幅に簡易化されるとともに、回路基板の製造にかかるコストを大幅に低減させることができる。
【考案を実施するための最良の形態】
【００２０】
（１）液晶テレビジョンの概略構造
図１は、本考案にかかる液晶テレビジョン１００の概略構造を斜視図によって示している。
同図に示すように、液晶テレビジョン１００は、フロントキャビネット１０とリアキャビネット３０とが形成するテレビジョンキャビネットの内部に、前方から後方に向けて液晶パネル２０、基板４０の順にこれらを収容することにより構成される。フロントキャビネット１０は、略中央に開口１６を形成したフロント面１１と、フロント面１１の上下左右の各辺から略後方に延出する側面とによって構成される。
【００２１】
液晶パネル２０は、概略、パネル部とバックライト部とからなる。パネル部は、偏光板、ガラス基板、液晶、導光板、反射板等の部材を層状に重ねて構成したものであり、バックライト部は、導光板の上下各側縁付近に配設された蛍光管によって構成される。詳しくは後述するが、パネル部は、基板４０に実装された映像処理・パネル駆動ＩＣ５０と接続し、バックライト部は、同じく基板４０に実装されたインバータブロック４２と接続している。
フロント面１１は、液晶パネル２０を前方から覆うとともに、開口１６によって液晶パネル２０の画像表示面を外部に露出させる。リアキャビネット３０は、フロントキャビネット１０の後端と接続して、液晶パネル２０および基板４０を後方から覆う。
【００２２】
基板４０は、本考案にかかる液晶テレビジョン用基板構造を採用した基板であり、全体が略矩形の一枚の紙フェノール基板である。基板４０としては、紙フェノール基板以外にも、紙エポキシ基板、ガラスエポキシ基板、テフロン（登録商標）基板等、種々の基板を採用可能であるが、本実施形態においては安価な紙フェノールを採用する。
【００２３】
（２）液晶テレビジョン用基板構造
以下に、本考案にかかる液晶テレビジョン用基板構造の特徴を説明する。
図２は、基板４０における各電子回路の配設位置などを概略的に示している。基板４０は、片面にのみ配線パターンＰを配した単層基板である。ただし同図においては、存在するパターンＰの一部のみを図示している。
【００２４】
基板４０上には、映像処理・パネル駆動ＩＣ５０を始め、インバータブロック４２と、電源ブロック４３と、音声信号処理ブロック４４と、チューナブロック４５とが実装されている。すなわち、一枚の単層基板上に、液晶テレビジョン１００の駆動に必要な全ての電子回路を実装している。
チューナブロック４５は、入力端子４５ｂ、チューナＩＣ４５ａ等からなり、図示しないアンテナによって受信した放送信号を入力端子４５ａによって入力するとともに、チューナＩＣ４５ａが同入力された放送信号から所定の中間周波信号を抽出する。
【００２５】
映像処理・パネル駆動ＩＣ５０は、液晶テレビジョン１００における映像および音声についてのデジタル処理の核となる略矩形のデバイスであり、上記中間周波信号をチューナブロック４５から受け取り、同中間周波信号に対する復調処理を行って映像信号および音声信号を生成する。そして、この映像信号に基づいて、液晶パネル２０の各画素を駆動して映像表示をさせるためのパネル駆動信号を生成し、同生成したパネル駆動信号を液晶パネル２０（パネル部）に対して出力する。
【００２６】
パネル駆動信号は、基板４０と液晶パネル２０とを接続するインターフェース８０を介して出力される。基板４０の４辺のうちの１辺である辺４９に面する基板４０上の位置にはコネクタ部４８ａ，４８ｂが備えられており、当該コネクタ部４８ａ，４８ｂは、映像処理・パネル駆動ＩＣ５０からコネクタ部４８ａ，４８ｂに向けて形成されたパターンＰと上記インターフェース８０とを電気的に接続する役割を果たす。
ここでインターフェース８０は、いわゆるＲＳＤＳインターフェースや、ＣＭＯＳインターフェースなどの駆動方式を採用可能である。
【００２７】
一方、映像処理・パネル駆動ＩＣ５０が生成した音声信号は、音声信号処理ブロック４４に出力される。音声信号処理ブロック４４は、Ｄ／Ａ変換器４４ｃ、音声アンプ４４ａ、コネクタ部４４等からなり、Ｄ／Ａ変換器４４ｃにてＤ／Ａ変換した音声信号を音声アンプ４４ａによって増幅し、同増幅後の音声信号をコネクタ部４４ｂを介して図示しないスピーカに出力する。
【００２８】
電源ブロック４３は、映像処理・パネル駆動ＩＣ５０や他のブロックに対して電源電圧を供給する。電源ブロック４３は、整流回路４３ａ、トランス４３ｂ等からなる。つまり、整流回路４３ａは、ケーブル４３ｃを介して液晶テレビジョン外部の商用交流電源から交流電圧を入力するとともに、同交流を直流電圧に変換する。直流化された電圧はトランス４３ｂの１次側に入力され、同トランス４３ｂの２次側にて所定のレベルとなった直流電圧が出力される。このようにして出力された直流電圧は、所定のパターンＰを介して映像処理・パネル駆動ＩＣ５０や他のブロックに供給される。
【００２９】
インバータブロック４２は、インバータ４２ａ、コネクタ部４２ｂ等からなる。インバータ４２ａには、電源ブロック４３から直流電圧が供給される。インバータ４２ａは、当該直流電圧を交流に変換した上でコネクタ部４２ｂに出力する。コネクタ部４２ｂからは、上記バックライト部に接続するケーブルが延出しており、コネクタ部４２ｂおよびこのケーブルを介してバックライト部に交流電圧が印加される。
さらに、基板４０上には、信号入出力用の複数のジャック４７が実装されているとともに、図示しない多数の抵抗素子やコンデンサやダイオード素子が所定のパターン上に必要に応じて実装されている。
【００３０】
ここで図２から明らかなように、本実施形態では、映像処理・パネル駆動ＩＣ５０を、基板４０の中心よりも上記コネクタ部４８ａ，４８ｂを備えた辺４９に近い位置において、同ＩＣ５０の各辺が基板４０の各辺と平行とはならない角度にて実装している。
図３は、基板４０上に実装された映像処理・パネル駆動ＩＣ５０と、同ＩＣ５０周辺の基板４０上のパターンを示している。同図におけるＸ，Ｙ方向は、基板４０の各辺が向く２つの方向を示している。
【００３１】
映像処理・パネル駆動ＩＣ５０は、４つの辺５１〜５４からそれぞれに複数の金属製のリード５５を突出させている。リード５５の総数は例えば１５０ピンとすることができ、隣り合うリード５５間の距離（ピッチ）は、０，６５ｍｍである。
上述したように、映像処理・パネル駆動ＩＣ５０の各辺５１〜５４と基板４０の各辺とは平行ではない。具体的には、映像処理・パネル駆動ＩＣ５０は、各辺のうち、上記パネル駆動信号を出力するためのリード５５を突出させている辺５１と辺５４とのいずれもが基板４０の辺４９に対して向くように実装されている。辺５１，５４がそれぞれに辺４９との間に生じさせる角度は、辺４９と垂直な方向（Ｙ方向）を挟んで略対称となっている。
【００３２】
辺５１から突出する各リードのうちパネル駆動信号を出力するリード５５と、各コネクタ部４８ｂとの間には、各リード５５に対応して複数本のパターンＰ１１が形成されている。同様に、辺５４から突出する各リードのうちパネル駆動信号を出力するリード５５と、各コネクタ部４８ａとの間には、各リード５５に対応して複数本のパターンＰ１２が形成されている。辺５１とコネクタ部４８ｂとの間を接続する複数本のパターンＰ１１は互いに略平行であり、同様に、辺５４とコネクタ部４８ａとの間を接続する複数本のパターンＰ１２は互いに略平行である。
【００３３】
すなわち、映像処理・パネル駆動ＩＣ５０は、インターフェース８０を基板４０側に接続するコネクタ部４８ａ，４８ｂを備えた辺４９に近い位置にて、パネル駆動信号を出力するリード５５を突出させる辺５１，５４の両方を辺４９に対して向かせた状態で実装されている。そのため、パネル駆動信号を出力する各リード５５とこれらに対応するコネクタ部４８ａ，４８ｂとの間を接続するパターンＰ１１，１２を短距離化することができる。また、上記パターンの短距離化に加え、複数本のパターンＰ１１，Ｐ１２をそれぞれ略平行に引き回したため、基板４０上の狭いスペースにて映像処理・パネル駆動ＩＣ５０とコネクタ部４８ａ，４８ｂとを接続することができる。
【００３４】
なお、上記のようにパターンＰ同士を略平行とする引き回しは、映像処理・パネル駆動ＩＣ５０と他のブロックとの間においても採用されている。辺５１，５４とそれぞれ相対する辺５２，５３からは、それぞれインバータブロック４２、電源ブロック４３、音声信号処理ブロック４４、チューナブロック４５との間で制御信号の入出力を行うための各リード５５が突出しており、これらのリード５５と各ブロック間とを接続するパターンＰとして、基板４０上にパターンＰ２１，２２が形成されている。
【００３５】
さらに、本実施形態においては、映像処理・パネル駆動ＩＣ５０が備えるリード５５のうち、電源電圧の供給に用いるリード（電源用リード）や、グランド端子として用いるリード（グランド用リード）についての突出位置に特徴が有る。
従来においては、電源用リードやグランド用リードは、各辺５１〜５４における離散した各位置、つまりとびとびの各位置から突出しているのが通常であった。しかし本実施形態では、電源用リードについてある本数分を隣接状態にて寄せ集め、グランド用リードについてもある本数分を隣接状態にて寄せ集めて突出させている。
【００３６】
図３中の、網かけ状の表示で示した電源用パターンＰ３１〜Ｐ３４は、突出位置がまとまった複数本の電源用リードとそれぞれ接続するパターンである。つまり、電源用パターンＰ３１は、辺５１において寄せ集められた複数本の電源用リードと、電源用パターンＰ３２は、辺５２において寄せ集められた複数本の電源用リードと、電源用パターンＰ３３は、辺５３において寄せ集められた複数本の電源用リードと、電源用パターンＰ３４は、辺５４において寄せ集められた複数本の電源用リードと、それぞれに電気的に接続している。さらに、同図においては、電源用パターンＰ３１，Ｐ３３，Ｐ３４をジャンパ７０によって互いに電気的に接続している。同図では省略しているが、電源用パターンＰ３１〜３４は電源ブロック４３と接続し、その結果、映像処理・パネル駆動ＩＣ５０は所定レベルの駆動電圧を入力することができる。
【００３７】
一方、図３中の、斜線表示で示したグランドパターンＰ４１〜Ｐ４３は、突出位置がまとまった複数本のグランド用リードとそれぞれ接続する。つまり、グランドパターンＰ４２は、辺５１において寄せ集められた複数本のグランド用リードと、グランドパターンＰ４１は、辺５４において寄せ集められた複数本のグランド用リードと、それぞれに電気的に接続している。さらに、グランドパターンＰ４３は、辺５２において寄せ集められた複数本のグランド用リードおよび辺５３において寄せ集められた複数本のグランド用リードとそれぞれ接続している。なお、グランドパターンＰ４３は、基板４０において映像処理・パネル駆動ＩＣ５０が載置される領域内に侵入して形成されており、このように侵入したグランドパターンＰ４３に対して、辺５２，５３においてそれぞれ寄せ集められた複数本のグランド用リードが電気的に接続している。
【００３８】
このように本実施形態では、 映像処理・パネル駆動ＩＣ５０が有する複数のリード５５のうち、電源用リードおよびグランド用リードについては、その種類毎に突出位置を複数本分ずつまとめた。その結果、基板４０における電源用パターンおよびグランドパターンの設計が単純化され、上記各ブロックを一枚の基板４０に実装する際のパターン設計が容易となる。
【００３９】
本考案においては、さらに次の構成を採用することができる。
上述したように本考案では、一枚の基板４０に映像処理・パネル駆動ＩＣ５０やチューナブロック４５等に加え、高圧を発する電源ブロック４３およびインバータブロック４２までも実装する。そのため、ＩＣ５０やチューナブロック４５等他のブロックに対して電源ブロック４３およびインバータブロック４２から輻射されるノイズの影響が及ばないような策を講じる必要がある。
【００４０】
図４は、基板４０の一部範囲であって、電源ブロック４３およびインバータブロック４２を中心とした範囲を概略的に示している。同図に示すように、基板４０においては、電源ブロック４３とインバータブロック４２の周囲をそれぞれに所定幅のパターン無し領域６０によって囲んでいる。パターン無し領域６０とは、パターンを一切形成しない領域であって、同パターン無し領域６０を挟む両側の領域は絶縁される。つまり、電源ブロック４３とインバータブロック４２の一方または両方をパターン無し領域６０にて囲むことにより、かかるブロックから輻射されるノイズを同パターン無し領域６０でカットし、映像処理・パネル駆動ＩＣ５０や他のブロックに上記ノイズの影響が及ぶことを防止する。
【００４１】
なお、上記のようにパターン無し領域６０を設ける場合は、必要に応じてジャンパ素子ＳやインダクタＬを、同パターン無し領域６０上を跨ぐようにして実装することにより、電源ブロック４３と周囲の電子回路との間の通信および電源電圧の供給や、インバータブロック４２と周囲の電子回路との間の通信および電源電圧の供給を実現可能にする。ジャンパ素子Ｓは、電子回路間の制御信号の通信経路となり、インダクタＬは電源供給に用いられる。
【００４２】
（３）まとめ
以上説明したように本考案によれば、電源の供給を確保し放送信号を受信して映像と音声を液晶パネルとスピーカによって出力させる、という液晶テレビジョンの駆動に必要な全ての電子回路を一枚の単層基板に実装した。そのため、従来、多層基板を含む複数の基板を用いていた場合と比較して、基板間を接続するハーネス類が不要となり、かつ基板自体も安価なものとなり、回路基板の製造にかかるコストを大幅に低減することができる。また、一枚の単層基板に対して各電子部品を載置してパターンが設計された片側面をＤＩＰするだけなので、回路基板の製造にかかる労力も従来と比較して大幅に低減する。
【００４３】
さらに、映像処理・パネル駆動ＩＣ５０を、基板４０の辺４９に近い位置にて、パネル駆動信号を出力するリード５５を突出させる辺５１と辺５４とのいずれもが当該辺４９に対して向くように実装したり、リード５５に対応するパターンを互いに略平行な状態で引き回したり、電源用リードとグランド用リードとについてその突出位置を、それぞれの種類毎に数本分ずつ隣接状態にて寄せ集めることにより、基板４０上においてパターン設計の単純化および省スペース化を図ることができ、その結果、限られたスペースの一枚の単層基板上に上記全ての電子回路を実装できるようになる。
【図面の簡単な説明】
【００４４】
【図１】液晶テレビジョンの概略構造を示した斜視図。
【図２】基板上の各電子回路の配設位置などを示した図。
【図３】映像処理・パネル駆動ＩＣと同ＩＣ周辺の基板上のパターンを示した図。
【図４】電源ブロックおよびインバータブロック付近の基板上の範囲を示した図。
【図５】従来における、基板上の各電子回路の配設位置などを示した図。
【符号の説明】
【００４５】
１０…フロントキャビネット
２０…液晶パネル
３０…リアキャビネット
４０…基板
４２…インバータブロック
４３…電源ブロック
４４…音声信号処理ブロック
４５…チューナブロック
４８ａ，４８ｂ…コネクタ部
４９…辺
５０…映像処理・パネル駆動ＩＣ
５１〜５４…辺
５５…リード
６０…パターン無し領域
８０…インターフェース
１００…液晶テレビジョン
【図１】
0003116234.tif 000003
【図２】
0003116234.tif 000004
【図３】
0003116234.tif 000005
【図４】
0003116234.tif 000006
【図５】
0003116234.tif 000007